(57)【要約】【課題】少数の無線タグを読み書きする場合においても、多数の無線タグを読み書きする場合においても、適切に無線タグを読み書きできる無線タグリーダライタを提供する。【解決手段】リーダライタ本体部１２０ａが、ワンド部が収納ケース部１４０に装着されたと検出したとき、アンテナ１２１から放射される電波の出力電力を高くする。また、ワンド部が収納ケース部１４０に装着されたと検出したとき、リーダライタ本体部１２０ａが、切替器１３２を制御して第１のアンテナと第２のアンテナとから同時に、又は交互に電波を放射する。【選択図】図１
2009015517.tif 000002
【特許請求の範囲】
【請求項１】
無線タグと信号を送受信するアンテナを備えるワンド部と；
前記信号を処理するリーダライタ本体部と、
前記ワンド部を装着可能に形成し、電磁波を遮蔽する電磁波遮蔽板によって覆われ、装着された前記ワンド部の前記アンテナから放射される電波の放射方向に向かって伸びる、断面が略矩形の筒状のアンテナ格納壁を有し、無線タグを貼付した物品を収納する収納ケース部と；を備える無線タグリーダライタであって、
前記リーダライタ本体部が、前記ワンド部が前記収納ケース部に装着されたと検出したとき、前記アンテナから放射される電波の出力電力を前記ワンド部が前記収納ケース部に装着されてないときよりも高くする、
ことを特徴とする無線タグリーダライタ。
【請求項２】
無線タグと信号を送受信するアンテナを備えるワンド部と；
前記信号を処理するリーダライタ本体部と、
前記ワンド部を装着可能に形成し、電磁波を遮蔽する電磁波遮蔽板を備え、装着された前記ワンド部のアンテナから放射される電磁波の放射方向に向かって伸びる、断面が略矩形の筒状のアンテナ格納壁を有し、無線タグを貼付した物品を収納する収納ケース部と；
を備える無線タグリーダライタであって、
前記リーダライタ本体部が、前記ワンド部が前記収納ケース部に装着されているかを検出する着脱検出部をさらに備え、
前記着脱検出部が、前記ワンド部が前記収納ケース部に装着されたと検出したとき、前記リーダライタ本体部が、前記アンテナから放射される電波の出力電力を前記ワンド部が前記収納ケース部に装着されてないときよりも高くする、
ことを特徴とする無線タグリーダライタ。
【請求項３】
無線タグと信号を送受信する第１のアンテナを備えるワンド部と；
前記信号を送受信する前記アンテナの選択を切替える切替器を備え、前記信号を処理するリーダライタ本体部と、
前記ワンド部を装着可能に形成し、電磁波を遮蔽する電磁波遮蔽板と前記無線タグと信号を送受信する第２のアンテナとを備え、装着された前記ワンド部のアンテナから放射される電磁波の放射方向に向かって伸びる、断面が略矩形の筒状のアンテナ格納壁を有し、無線タグを貼付した物品を収納する収納ケース部と；
を備える無線タグリーダライタであって、
前記リーダライタ本体部が、前記ワンド部が前記収納ケース部に装着されているかを検出する着脱検出部をさらに備え、
前記着脱検出部が、前記ワンド部が前記収納ケース部に装着されたと検出したとき、前記リーダライタ本体部が、前記切替器を制御して前記第１のアンテナと前記第２のアンテナとから同時に、又は交互に電波を放射する、
ことを特徴とする無線タグリーダライタ。
【請求項４】
前記収納ケース部が前記第２のアンテナを複数備え、
前記着脱検出部が、前記ワンド部が前記収納ケース部に装着されたと検出したとき、前記リーダライタ本体部が、前記切替器を制御して前記第１のアンテナと前記複数の第２のアンテナとから同時に、又は交互に電波を放射する、
ことを特徴とする請求項３に記載の無線タグリーダライタ。
【請求項５】
無線タグと信号を送受信する第１のアンテナを備えるワンド部と；
前記信号を送受信する前記アンテナの選択を切替える切替器を備え、前記信号を処理するリーダライタ本体部と、
前記ワンド部を装着可能に形成し、電磁波を遮蔽する電磁波遮蔽板と前記無線タグと信号を送受信する第２のアンテナとを備え、前記ワンド部のアンテナから放射される電磁波の放射方向に向かって伸びる、断面が略矩形の筒状のアンテナ格納壁を有し、無線タグを貼付した物品を収納する収納ケース部と；
を備える無線タグリーダライタであって、
前記リーダライタ本体部が、前記ワンド部が前記収納ケース部に装着されているかを検出する着脱検出部をさらに備え、
前記着脱検出部が、前記ワンド部が前記収納ケース部に装着されたと検出したとき、前記リーダライタ本体部が、前記第１のアンテナと前記第２のアンテナとから前記収納ケースに収納された無線タグを全て読み書きするために十分に高い出力電力の電波を放射する、
ことを特徴とする無線タグリーダライタ。
【請求項６】
前記収納ケース部が前記第２のアンテナを複数備え、
前記着脱検出部が、前記ワンド部が前記収納ケース部に装着されたと検出したとき、前記リーダライタ本体部が、前記第１のアンテナと前記複数の第２のアンテナとから前記収納ケースに収納された無線タグを全て読み書きするために十分に高い出力電力の電波を放射する、
ことを特徴とする請求項５に記載の無線タグリーダライタ。
【請求項７】
前記電磁波遮蔽板が、
前記アンテナ格納壁側に電磁波吸収材を有し、
前記電磁波吸収材の前記アンテナ格納壁の外側に電磁波を反射する金属を含むことを特徴とする、
請求項１乃至６のいずれか１項に記載の無線タグリーダライタ。
【請求項８】
前記電磁波遮蔽板が、
電磁波吸収材を含む電磁波吸収体を含むことを特徴とする、
請求項１乃至６のいずれか１項に記載の無線タグリーダライタ。
【請求項９】
前記電磁波吸収材が、カーボンを含浸させたポリウレタン，フェライト，カーボンを含浸させた発泡スチロールから１種類以上選ばれる材質を含むことを特徴とする、請求項１乃至８のいずれか１項に記載の無線タグリーダライタ。
【請求項１０】
無線タグと信号を送受信する第１のアンテナと、
前記信号を送受信する前記アンテナの選択を切替える切替器を備え、前記信号を処理するリーダライタ本体部と、を備えるワンド部と；
前記ワンド部を装着可能に形成し、電磁波を遮蔽する電磁波遮蔽板と前記無線タグと信号を送受信する第２のアンテナとを備え、装着された前記ワンド部のアンテナから放射される電磁波の放射方向に向かって伸びる、断面が略矩形の筒状のアンテナ格納壁を有し、無線タグを貼付した物品を収納する収納ケース部と；
を備える無線タグリーダライタであって、
前記ワンド部が、前記収納ケース部に装着されているかを検出する着脱検出部をさらに備え、
前記着脱検出部が、前記ワンド部が前記収納ケース部に装着されたと検出したとき、前記リーダライタ本体部が、前記切替器を制御して前記第１のアンテナと前記第２のアンテナとから同時に、又は交互に電波を放射する、
ことを特徴とする無線タグリーダライタ。
【請求項１１】
前記着脱検出部が、前記ワンド部が前記収納ケース部に装着されたと検出したとき、前記アンテナから放射される電波の出力電力を前記ワンド部が前記収納ケース部に装着されてないときよりも高くする
ことを特徴とする請求項１０記載の無線タグリーダライタ。
【発明の詳細な説明】
【技術分野】
【０００１】
本発明は、無線タグと信号を送受信する無線タグリーダライタに係り、特に放射する電波の出力電力の高さが変更可能な無線タグリーダライタに関する。
【背景技術】
【０００２】
無線タグを少数ずつ読み書きする場合には、無線タグリーダライタが放射する電波の出力電力は低くてもよい。しかし、一度に多数の無線タグを読み書きする場合には、無線タグリーダライタが放射する電波の出力電力を高くする必要がある。ところが、無線タグリーダライタから放射される電波の出力電力を高くすると、他の無線タグリーダライタが放射する電波との干渉が発生し、適正に無線タグを読み書きできない場合が生じる。よって、無線タグリーダライタから放射される電波の出力電力の高さを制御する必要が生じる。
【０００３】
このことは、アンテナ部分を容易に持ち運べるように構成したワンド型のアンテナ部を備える無線タグリーダライタに特に当てはまる。すなわち、従来のワンド型無線タグリーダライタは例えば1個ずつの無線タグを読み書きするように設計されている。従って、単に放射する電波の出力電力を高くするだけでは無線タグの誤読が生じる。
【０００４】
従来のワンド型無線タグリーダの例として、ループ型の物（例えば、特許文献１）や無線タグを貼付した書類をめくるための板を装着したもの（例えば、特許文献２）などが提案されている。
【０００５】
一方、放射する電波の出力電力を高くして一度に多数の無線タグと通信する無線タグリーダライタの例として、棚状の物（例えば、特許文献３、及び特許文献4）が提案されている。
【特許文献１】特開２００４−２４６６１７号公報
【特許文献２】特開２００２−２３０４９１号公報
【特許文献３】特許第２５９３３１９号公報
【特許文献４】特開平９−１７５６０９号公報
【発明の開示】
【発明が解決しようとする課題】
【０００６】
しかし、多数の密集した無線タグ及び少数の無線タグを交互に読み書きするには、上述のような問題点からそれぞれ別の機器を使用しなければならないと言う問題点があった。
【０００７】
本発明は上記のような問題点に鑑みてなされたものであり、少数の無線タグを読み書きする場合においても、多数の無線タグを読み書きする場合においても、適切に無線タグを読み書きできる無線タグリーダライタを提供することを目的とする。
【課題を解決するための手段】
【０００８】
この目的を達成するために本発明は、無線タグと信号を送受信するアンテナを備えるワンド部と；信号を処理するリーダライタ本体部と、ワンド部を装着可能に形成し、電磁波を遮蔽する電磁波遮蔽板によって覆われ、装着されたワンド部のアンテナから放射される電波の放射方向に向かって伸びる、断面が略矩形の筒状のアンテナ格納壁を有し、無線タグを貼付した物品を収納する収納ケース部と；を備える無線タグリーダライタであって、リーダライタ本体部が、ワンド部が収納ケース部に装着されたと検出したとき、アンテナから放射される電波の出力電力をワンド部が収納ケース部に装着されてないときよりも高くする、ことを特徴とする無線タグリーダライタを提供する。
【０００９】
また本発明は、無線タグと信号を送受信する第１のアンテナを備えるワンド部と；信号を送受信するアンテナの選択を切替える切替器を備え、信号を処理するリーダライタ本体部と、ワンド部を装着可能に形成し、電磁波を遮蔽する電磁波遮蔽板と無線タグと信号を送受信する第２のアンテナとを備え、装着されたワンド部のアンテナから放射される電磁波の放射方向に向かって伸びる、断面が略矩形の筒状のアンテナ格納壁を有し、無線タグを貼付した物品を収納する収納ケース部と；を備える無線タグリーダライタであって、リーダライタ本体部が、ワンド部が前記収納ケース部に装着されているかを検出する着脱検出部をさらに備え、着脱検出部が、ワンド部が前記収納ケース部に装着されたと検出したとき、リーダライタ本体部が、切替器を制御して第１のアンテナと第２のアンテナとから同時に、又は交互に電波を放射する、ことを特徴とする無線タグリーダライタを提供する。
【００１０】
さらに、本発明は、無線タグと信号を送受信する第１のアンテナと、信号を送受信するアンテナの選択を切替える切替器を備え、信号を処理するリーダライタ本体部と、を備えるワンド部と；ワンド部を装着可能に形成し、電磁波を遮蔽する電磁波遮蔽板と無線タグと信号を送受信する第２のアンテナとを備え、装着されたワンド部のアンテナから放射される電磁波の放射方向に向かって伸びる、断面が略矩形の筒状のアンテナ格納壁を有し、無線タグを貼付した物品を収納する収納ケース部と；を備える無線タグリーダライタであって、ワンド部が、収納ケース部に装着されているかを検出する着脱検出部をさらに備え、着脱検出部が、ワンド部が収納ケース部に装着されたと検出したとき、リーダライタ本体部が、切替器を制御して第１のアンテナと第２のアンテナとから同時に、又は交互に電波を放射する、ことを特徴とする無線タグリーダライタを提供する。
【発明の効果】
【００１１】
本発明によれば、読み書きしようとする無線タグの量に応じて無線タグリーダライタが放射する電波の出力電力の高さを変更することが可能になり、少数の無線タグを読み書きする場合においても、多数の無線タグを読み書きする場合においても、適切に無線タグを読み書きできると言う効果がある。また、読み書きしようとする無線タグが多数乱雑に密集していても、適切に無線タグを読み書きできると言う効果がある。
【発明を実施するための最良の形態】
【００１２】
以下、本発明による無線タグリーダライタの一実施の形態を、図面を用いて詳細に説明する。なお、本発明において無線タグリーダライタは無線タグから情報を読み込む装置又は無線タグに情報を書き込む装置、又は情報の読み込みと書き込みを両方行う装置を含むものとする。また、無線タグは無線通信可能な記憶媒体を意味し、通常アンテナとＩＣチップを有する。無線タグはさらに計算機能を持っていてもよく、望ましくは携帯可能な大きさであるが、微小なものであってもよい。無線タグはＲＦＩＤ（Ｒａｄｉｏ  Ｆｒｅｑｕｅｎｃｙ  Ｉｄｅｎｔｉｆｉｃａｔｉｏｎ）と呼ばれることもある。
【００１３】
＜実施形態の概要＞
本実施形態の無線タグリーダライタは、無線タグと信号を送受信するアンテナを備えるワンド部と；信号を処理するリーダライタ本体部と、電磁波を遮蔽する電磁波遮蔽板によって覆われ、ワンド部のアンテナから放射される電波の放射方向に向かって伸びる、断面が略矩形の筒状のアンテナ格納壁を有し、無線タグを貼付した物品を収納する収納ケース部と；を備える無線タグリーダライタであって、リーダライタ本体部が、ワンド部が収納ケース部に装着されたと検出したとき、アンテナから放射される電波の出力電力をワンド部が収納ケース部に装着されてないときよりも高くする、ことを特徴とする。
【００１４】
また、収納ケース部が第２のアンテナを複数備え、リーダライタ本体部が、ワンド部に収納ケース部が装着されたと検出したとき、アンテナと複数の第２のアンテナとから同時に、又は交互に電波を放射する、ことを特徴とする。以下、詳細に説明する。
【００１５】
以下、ワンド部とは少なくとも無線タグリーダライタのアンテナ部を含み、手で持つための把持部を備える装置をさすものとする。
【００１６】
＜第１の実施形態の詳細＞
＜無線タグ及び本実施形態の無線タグリーダライタの構成＞
図１は、無線タグ及び本実施形態の無線タグリーダライタ１０１の構成の概要を示した図である。図１に示すように、無線タグ１１０は、記憶装置であるメモリ１１１と、メモリ１１１へのデータの読み書きを行う無線タグ制御部１１２と、受信した変調電磁波の整流と安定化を行うことにより電源を供給する電源生成部１１５と、無線タグ制御部１１２から送出されたデータを変調して無線タグアンテナ１１６に送出する変調部１１３と、受信した変調電磁波を復調して無線タグ制御部１１２へ送出する復調部１１４とを備える。
【００１７】
本実施形態の無線タグリーダライタ１０１は、ワンド部１２０と収納ケース部１４０とを備える。
【００１８】
ワンド部１２０は、無線タグ１１０と信号を送受信する第１のアンテナ１２１Ａと、後述する着脱検出部１３１が有する凹部と嵌合する凸部を有する。
【００１９】
収納ケース部１４０は、無線タグと送受信する信号を処理するリーダライタ本体部１２０ａを備える。リーダライタ本体部１２０ａはさらに、ワンド部１２０を着脱可能に支持し、無線タグを貼付した物品を収納する収納ケース部１４０にこのワンド部が装着されているかを検出する着脱検出部１３１と、を備える。
【００２０】
収納ケース部１４０は、ワンド部が収納ケース部１４０に装着されると、この凸部が凹部と嵌合する。着脱検出部１３１は、例えば光学センサ、機械式スイッチなどの凸部を検出する検出手段を有し、凸部が凹部に嵌合すると、ワンド部１２０が装着されたと検出してリーダライタ本体部１２０ａに信号を出力する。なお、検出手段はこれらに限られるものではない。
【００２１】
収納ケース部１４０の形状は問わない。例えば電磁波を遮蔽する電磁波遮蔽板を備え、ワンド部１２０の第1のアンテナ１２１Ａから放射される電磁波の放射方向（図２の矢印Ｘの方向）に向かって伸びる、断面が略矩形の筒状のアンテナ格納壁を有するように構成された形状が挙げられる。この場合、アンテナ格納壁のワンド部１２０に対向する面は開放されていることが望ましい。
【００２２】
収納ケース部１４０はさらに、無線タグ１１０と信号を送受信する第２のアンテナを有する。第２のアンテナは複数設けられてもよい。無線タグリーダライタ１０１は、これらの第２のアンテナ１２１Ｂ，１２１Ｃ，１２１Ｄ，１２１Ｅとのコネクタを有し、このコネクタを介して第２のアンテナ１２１Ｂ，１２１Ｃ，１２１Ｄ，１２１Ｅが着脱可能に構成されている。
【００２３】
リーダライタ本体部１２０ａは、無線タグと電磁波により信号を送受信するためのアンテナであるアンテナ１２１と、無線タグ１１０との通信及び接続するハードウエアを制御するリーダライタ制御部１２６と、リーダライタ制御部１２６から送出されたデータを変調する変調部１２２と、変調された信号を増幅してアンテナ１２１に送出する送信アンプ１２３と、受信した変調電磁波を増幅する受信アンプ１２４と、受信した変調信号を復調する復調部１２５と、例えばパソコン２０１等の上位装置に接続し、データの授受を行うインターフェース１３０と、を備える。またリーダライタ制御部１２６は、ＣＰＵ１２７及びデータを格納するＲＯＭ１２８及びＲＡＭ１２９を備える。
【００２４】
リーダライタ本体部１２０ａは、信号を送受信するアンテナの選択を切替える切替器１３２を備える。この切替器１３２は、例えばＣＰＵ１２７によって制御される電子スイッチを用いることができる。ＣＰＵ１２７からの切替器１３２への制御信号は一点破線にて示す。
【００２５】
収納ケース部は、第２のアンテナ１２１Ｂ，１２１Ｃ，１２１Ｄ，１２１Ｅと、これらの第2のアンテナ１２１Ｂ，１２１Ｃ，１２１Ｄ，１２１Ｅに切替器１３２からの送信信号を増幅して送出し、これらの第2のアンテナ１２１Ｂ，１２１Ｃ，１２１Ｄ，１２１Ｅが受信した受信信号を増幅して切替器１３２に送出するアンテナ制御部１４１と、このアンテナ制御部に電力を供給する補助電源装置１４２とを備える。
【００２６】
アンテナ制御部１４１はＣＰＵ１２７からの制御信号に従って、送信信号を各第2のアンテナ１２１Ｂ，１２１Ｃ，１２１Ｄ，１２１Ｅに分配する。ＣＰＵ１２７からのアンテナ制御部１４１への制御信号は一点破線にて示す。
【００２７】
図２は、本実施形態の無線タグリーダライタ１０１の斜視図である。図２に示すように、ワンド部１２０と収納ケース部１４０は別体により構成される。ワンド部１２０は、着脱検出部１３１が有する凸部と、パソコンなどの上位機種への接続ケーブル２０２とを有する。
【００２８】
収納ケース部１４０は、ワンド部１２０を嵌め込むための装着孔２１１と、無線タグを貼付した物品を挿入する物品挿入孔２１２とを備える。収納ケース部１４０はさらに、電磁波を遮蔽する電磁波遮蔽板と無線タグと信号を送受信する第２のアンテナ１２１Ｂ，１２１Ｃ，１２１Ｄ，１２１Ｅとを備え、ワンド部１２０の第１のアンテナ１２１Ａから放射される電磁波の放射方向に向かって伸びる、断面が略矩形の筒状のアンテナ格納壁２１３Ｂ，２１３Ｃ，２１３Ｄ，２１３Ｅを備える。また、収納ケース部１４０はアンテナ制御部１４１と補助電源装置１４２とを部品格納スペース２１４に格納するように構成してもよい。
【００２９】
＜第１の実施形態のアンテナ格納壁の構成＞
次に、第１の実施形態のアンテナ格納壁２１３Ｂ，２１３Ｃ，２１３Ｄ，２１３Ｅの構成について説明する。
【００３０】
（第１の応用例）
アンテナ格納壁２１３Ｂ，２１３Ｃ，２１３Ｄ，２１３Ｅは、アンテナ格納壁の外側に電磁波吸収材を有し、この電磁波吸収材のアンテナ格納壁の内側に電磁波を反射する金属を含む。ここで、アンテナ格納壁側の外側とはアンテナ格納壁において収納ケース部１４０に収納した無線タグの側とは反対側を意味する。また、アンテナ格納壁側の内側とはアンテナ格納壁において収納ケース部１４０に収納した無線タグの側を意味する。
【００３１】
電磁波を反射する金属は、例えば鉄や銅などの単体に近い材質や、ステンレスなどの合金が挙げられる。
【００３２】
電磁波吸収材は、例えば合成樹脂や木材、セルロースなどの他、電磁波を効率よく吸収する材質であってもよい。電磁波を効率よく吸収する材質は、例えばカーボンを含浸させたポリウレタン，フェライト，カーボンを含浸させた発泡スチロールなどが挙げられるが、これらに限られるものではない。
【００３３】
このように構成することにより、無線タグリーダライタ１０１の外側からの電磁波を遮蔽することができ、無線タグリーダライタ１０１の内側からの電磁波の漏れ出しを防止することができる。
【００３４】
図３は、アンテナ格納壁２１３Ｃの図２におけるＡＡ線断面図である。上側がアンテナ格納壁側、すなわち外側であり、下側が内側である。図３（ａ）に示すように、電磁波吸収材４０１を、均一に電磁波を反射する金属４０２に設置してもよい。また、図３（ｂ）に示すように、電磁波吸収材４０１をモールド形状、すなわち空洞を有する形状にして電磁波を反射する金属４０２に設置してもよい。いずれも第２のアンテナ４０４(図１、１２１Ｃに相当)は電磁波吸収材４０１の内側に設置する。他のアンテナ格納壁２１３Ｂ，２１３Ｄ，２１３Ｅも同様の構成をなす。
【００３５】
（第２の応用例）
アンテナ格納壁２１３Ｂ，２１３Ｃ，２１３Ｄ，２１３Ｅは、電磁波を吸収する電磁波吸収体を含む。アンテナ格納壁２１３Ｂ，２１３Ｃ，２１３Ｄ，２１３Ｅは、この電磁波吸収体だけから構成されていてもよいし、上述の電磁波吸収材又は金属のアンテナ格納壁側に、すなわち内側に電磁波吸収体を設けてもよい。この電磁波吸収体は、上述の電磁波吸収材から１種類以上選ばれる材質を含む。
【００３６】
＜本実施形態の無線タグリーダライタの動作＞
本実施形態の無線タグリーダライタ１０１は、着脱検出部１３１が、収納ケース部１４０にワンド部１２０が装着されたと検出したとき、リーダライタ本体部１２０ａが、第１のアンテナ１２１と第２のアンテナ１２１Ｂ，１２１Ｃ，１２１Ｄ，１２１Ｅからワンド部１２０が収納ケース部１４０に装着されてないときよりも高い出力電力の電波を放射する。
【００３７】
図２に示すように、ワンド部１２０が収納ケース部１４０に装着されていない場合には、例えばワンド部１２０は手に持って移動させて使用する。このとき無線タグリーダライタ１０１は、例えば１０ｍＷ程度の出力電力の電波を放射する。この場合、少数の無線タグと通信して読み書きするのに適している。
【００３８】
図４は、本実施形態の無線タグリーダライタ１０１の使用形態を表した図である。図４に示すように、ワンド部１２０が、収納ケース部１４０の装着孔２１１に装着され、着脱検出部１３１が、ワンド部１２０が装着されたと検知している。このとき無線タグリーダライタ１０１は、第１のアンテナ１２１及び第２のアンテナ１２１Ｂ，１２１Ｃ，１２１Ｄ，１２１Ｅから収納ケースに収納された物品に貼付された無線タグを全て読み書きするために十分に高い出力電力の電波、例えば３００ｍＷ程度の出力電力の電波を放射する。この場合、多数の密集した無線タグ３０１と通信して読み書きするのに適している。多数の密集した無線タグ３０１は、無線タグの貼付方向がそろっていなくてもよい。
【００３９】
＜本実施形態の効果＞
以上述べたように、本実施形態の無線タグリーダライタ１０１は、リーダライタ本体部１２０ａが、ワンド部に収納ケース部１４０が装着されたと検出したとき、アンテナ１２１から放射される電波の出力電力を高くする。このため、読み書きしようとする無線タグの量に応じて無線タグリーダライタ１０１が放射する電波の出力電力の高さを変更することが可能になり、少数の無線タグを読み書きする場合においても、多数の無線タグを読み書きする場合においても、適切に無線タグを読み書きできると言う効果がある。また、読み書きしようとする無線タグが多数乱雑に密集していても、適切に無線タグを読み書きできると言う効果がある。
【００４０】
＜第２の実施形態の詳細＞
＜無線タグ及び本実施形態の無線タグリーダライタの構成＞
無線タグ１１０及び本実施形態の無線タグリーダライタは、＜第１の実施形態の詳細＞において述べたものと同じ構成である。
【００４１】
＜本実施形態の無線タグリーダライタの動作＞
本実施形態の無線タグリーダライタ１０１は、着脱検出部１３１が、ワンド部１２０が収納ケース部１４０に装着されたと検出したとき、切替器１３２を制御して第１のアンテナ１２１Ａと複数の第２のアンテナ１２１Ｂ，１２１Ｃ，１２１Ｄ，１２１Ｅとから同時に、又は交互に電波を放射する。
【００４２】
ここで交互にとは、例えば第１のアンテナ１２１Ａ，第２のアンテナ１２１Ｂ，１２１Ｃ，１２１Ｄ，１２１Ｅの順に、０．５秒ずつ繰り返し電波を放射するように構成することもできることを意味する。なお、第２のアンテナは１つだけ設けても５個以上設けてもよい。
【００４３】
さらに、本実施形態の無線タグリーダライタ１０１は、着脱検出部１３１が、ワンド部１２０が収納ケース部１４０に装着されたと検出したとき、リーダライタ本体部１２０ａが、第１のアンテナ１２１と第２のアンテナ１２１Ｂ，１２１Ｃ，１２１Ｄ，１２１Ｅとからワンド部に収納ケース部１４０が装着される前におけるより高い出力電力の電波を放射するように構成することもできる。
【００４４】
＜本実施形態の効果＞
以上述べたように、本実施形態の無線タグリーダライタ１０１は、ワンド部が収納ケース部１４０Ａに装着されたと検出したとき、リーダライタ本体部１２０ａが、切替器１３２を制御して第１のアンテナと第２のアンテナとから同時に、又は交互に電波を放射する。このため、電源電圧が低くてもすみ、製造コスト及びランニングコストが安く抑えることができると言う効果がある。
【００４５】
＜その他の実施形態の詳細＞
その他の実施形態として、ワンド部に無線タグと信号を送受信するアンテナとリーダライタ本体部を格納するように構成する形態を以下に述べる。
【００４６】
＜無線タグ及び本実施形態の無線タグリーダライタの構成＞
図５は、無線タグ及び本実施形態の無線タグリーダライタ１０２の構成の概要を示した図である。無線タグ１１０は、＜第１の実施形態の詳細＞において述べたものと同じ構成である。図５に示すように、本実施形態の無線タグリーダライタ１０２は、ワンド部１２０Ｗと収納ケース部１４０とを備える。
【００４７】
ワンド部１２０Ｗは、無線タグ１１０と信号を送受信する第１のアンテナ１２１Ａと、この信号を処理するリーダライタ本体部１２０ａとを収納しており、さらにこのワンド部を着脱可能に支持し、無線タグを貼付した物品を収納する収納ケース部１４０に装着されているかを検出する着脱検出部１３１を備える。
【００４８】
収納ケース部１４０は、例えば着脱検出部１３１が有する凹部と嵌合する凸部を有する。ワンド部が収納ケース部１４０に装着されると、この凸部が凹部と嵌合する。着脱検出部１３１は、例えば光学センサ、機械式スイッチなどの凸部を検出する検出手段を有し、凸部が凹部に嵌合すると、収納ケース部１４０に装着されたと検出してリーダライタ本体部１２０ａに信号を出力する。なお、検出手段はこれらに限られるものではない。
【００４９】
収納ケース部１４０の形状は問わない。例えば電磁波を遮蔽する電磁波遮蔽板を備え、ワンド部１２０Ｗの第1のアンテナ１２１Ａから放射される電磁波の放射方向（図２の矢印Ｘの方向）に向かって伸びる、断面が略矩形の筒状のアンテナ格納壁を有するように構成された形状が挙げられる。この場合、アンテナ格納壁のワンド部１２０Ｗに対向する面は開放されていることが望ましい。
【００５０】
収納ケース部１４０はさらに、無線タグ１１０と信号を送受信する第２のアンテナを有する。第２のアンテナは複数設けられてもよい。無線タグリーダライタ１０２は、これらの第２のアンテナ１２１Ｂ，１２１Ｃ，１２１Ｄ，１２１Ｅとのコネクタを有し、このコネクタを介して第２のアンテナ１２１Ｂ，１２１Ｃ，１２１Ｄ，１２１Ｅが着脱可能に構成されている。
【００５１】
リーダライタ本体部１２０ａは、無線タグと電磁波により信号を送受信するためのアンテナであるアンテナ１２１と、無線タグ１１０との通信及び接続するハードウエアを制御するリーダライタ制御部１２６と、リーダライタ制御部１２６から送出されたデータを変調する変調部１２２と、変調された信号を増幅してアンテナ１２１に送出する送信アンプ１２３と、受信した変調電磁波を増幅する受信アンプ１２４と、受信した変調信号を復調する復調部１２５と、例えばパソコン２０１等の上位装置に接続し、データの授受を行うインターフェース１３０と、を備える。またリーダライタ制御部１２６は、ＣＰＵ１２７及びデータを格納するＲＯＭ１２８及びＲＡＭ１２９を備える。
【００５２】
リーダライタ本体部１２０ａは、信号を送受信するアンテナの選択を切替える切替器１３２を備える。この切替器１３２は、例えばＣＰＵ１２７によって制御される電子スイッチを用いることができる。ＣＰＵ１２７からの切替器１３２への制御信号は一点破線にて示す。
【００５３】
収納ケース部は、第２のアンテナ１２１Ｂ，１２１Ｃ，１２１Ｄ，１２１Ｅと、これらの第2のアンテナ１２１Ｂ，１２１Ｃ，１２１Ｄ，１２１Ｅに切替器１３２からの送信信号を増幅して送出し、これらの第2のアンテナ１２１Ｂ，１２１Ｃ，１２１Ｄ，１２１Ｅが受信した受信信号を増幅して切替器１３２に送出するアンテナ制御部１４１と、このアンテナ制御部に電力を供給する補助電源装置１４２とを備える。
【００５４】
アンテナ制御部１４１はＣＰＵ１２７からの制御信号に従って、送信信号を各第2のアンテナ１２１Ｂ，１２１Ｃ，１２１Ｄ，１２１Ｅに分配する。ＣＰＵ１２７からのアンテナ制御部１４１への制御信号は一点破線にて示す。
【００５５】
＜本実施形態の無線タグリーダライタの動作＞
本実施形態の無線タグリーダライタの動作は、第１の実施形態及び第２の実施形態におけるものと同様である。
【００５６】
すなわち、本実施形態の無線タグリーダライタにおいては、着脱検出部１３１が、ワンド部１２０Ｗが収納ケース部１４０に装着されたと検出したとき、リーダライタ本体部１２０ａが、切替器１３２を制御して第１のアンテナ１２１Ａと第２のアンテナ１２１Ｂ，１２１Ｃ，１２１Ｄ，１２１Ｅとから同時に、又は交互に電波を放射する。
【００５７】
また、本実施形態の無線タグリーダライタにおいては、さらに着脱検出部１３１が、ワンド部１２０Ｗが収納ケース部１４０に装着されたと検出したとき、第１のアンテナ１２１Ａと第２のアンテナ１２１Ｂ，１２１Ｃ，１２１Ｄ，１２１Ｅから放射される電波の出力電力をワンド部１２０Ｗが収納ケース部１４０に装着されてないときよりも高くするように、構成することもできる。
【００５８】
＜本実施形態の効果＞
以上述べたように、本実施形態の無線タグリーダライタ１０２は、ワンド部１２０Ｗにリーダライタ本体部１２０ａを格納するように構成する。このため、サイズの異なる収納物品に適応する種々の収納ケース部１４０を安価に製造することが可能となるという効果がある。
【００５９】
＜本発明の具体化における可能性＞
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６０】
【図１】無線タグ及び第１の実施形態の無線タグリーダライタの構成の概要を示した図である。
【図２】無線タグリーダライタの斜視図である。
【図３】アンテナ格納壁２１３Ｃの図２におけるＡＡ線断面図である。
【図４】無線タグリーダライタの使用形態を表した図である。
【図５】その他の実施形態の無線タグリーダライタの構成の概要を示した図である。
【符号の説明】
【００６１】
１０１，１０２：無線タグリーダライタ、
１２１Ａ：第１のアンテナ、
１２１Ｂ，１２１Ｃ，１２１Ｄ，１２１Ｅ：第２のアンテナ、
１３１：着脱検出部、
１３２：切替器、
１４０：収納ケース部。
【図１】
2009015517.tif 000003
【図２】
2009015517.tif 000004
【図３】
2009015517.tif 000005
【図４】
2009015517.tif 000006
【図５】
2009015517.tif 000007